(57)【特許請求の範囲】
【請求項１】
Ｘ線管と被写体との距離が変わるように移動可能なＸ線照射装置のＸ線管から被写体に放射線を照射して、放射線画像変換手段に撮影された画像を表示する放射線画像撮影表示方法であって、
前記放射線画像変換手段による撮影位置近傍に間隔ｇのマーカを配置して前記被写体と共に写し込み、
前記放射線画像変換手段に写し込まれた前記マーカの間隔ｈを参照してマーカ拡大倍率β＝ｈ／ｇを算出し、
前記マーカ拡大倍率β、前記Ｘ線管から前記被写体までの距離ａ、および前記Ｘ線管から前記マーカを配置した位置までの距離ｃ（ただし、ｃ＞ａ）に基づいて被写体の撮影倍率α＝（ｃ／ａ）βを算出し、
前記撮影倍率αを用いて、撮影された画像を表示する際に被写体の所定の位置間の距離を表示することを特徴とする放射線画像撮影表示方法。
【請求項２】
前記Ｘ線管から前記被写体までの距離ａを測定し、該測定結果を用いて前記撮影倍率αを算出することを特徴とする請求項１記載の放射線画像撮影表示方法。
【請求項３】
撮影画像の表示画面において対話的に複数の位置の指定を受付け、指定された位置間の距離を数値表示することを特徴とする請求項１又は請求項２に記載の放射線画像撮影表示方法。
【請求項４】
撮影画像の表示画面において対話的に複数の位置の指定を受付け、指定された位置間を結ぶ直線と平行に、所定間隔の目盛を有するスケールを表示することを特徴とする請求項１又は請求項２に記載の放射線画像撮影表示方法。
【請求項５】
前記撮影倍率αを用いて撮影倍率補正処理を行い、撮影された画像を実物大の大きさで表示することを特徴とする請求項１に記載の放射線画像撮影表示方法。
【請求項６】
Ｘ線管と被写体との距離が変わるように移動可能なＸ線照射装置のＸ線管から被写体に放射線を照射して、放射線画像変換手段に撮影し、該放射線画像変換手段に撮影された画像を読み取り手段で読み取り、読み取った画像を表示手段に表示する放射線画像撮影表示装置であって、
前記放射線画像変換手段による撮影位置近傍であって、前記被写体と共に放射線画像変換手段に写し込むための間隔ｇで離間配置されたマーカと、
前記放射線画像変換手段に写し込まれた前記マーカの間隔ｈを参照してマーカ拡大倍率β＝ｈ／ｇを算出し、前記マーカ拡大倍率β、前記Ｘ線管から前記被写体までの距離ａ、および前記Ｘ線管から前記マーカを配置した位置までの距離ｃ（ただし、ｃ＞ａ）を参照して前記被写体の撮影倍率α＝（ｃ／ａ）βを算出し、
を算出する演算手段と、
前記撮影倍率αを用いて、撮影された画像を表示する際に前記被写体の所定の位置間の距離を表示させる表示制御手段と、
を備えたことを特徴とする放射線画像撮影表示装置。
【請求項７】
前記Ｘ線管から前記被写体までの距離ａを測定する測距手段を備え、該測距手段での測定結果を用いて前記演算手段が前記撮影倍率αを算出することを特徴とする請求項６記載の放射線画像撮影表示装置。
【請求項８】
前記表示手段での撮影画像の表示画面を用いて対話的に複数の位置の指定を受付ける操作手段を有し、
前記表示制御手段は、前記操作手段で指定された位置間について求められた距離を数値表示させる、ことを特徴とする請求項６または請求項７のいずれかに記載の放射線画像撮影表示装置。
【請求項９】
前記表示手段での撮影画像の表示画面を用いて対話的に複数の位置の指定を受付ける操作手段を有し、
前記表示制御手段は、前記操作手段で指定された位置間を結ぶ直線と平行に、所定間隔の目盛を有するスケールを表示させる、ことを特徴とする請求項６乃至請求項８のいずれかに記載の放射線画像撮影表示装置。
【請求項１０】
前記撮影倍率αを用いて撮影倍率補正処理を行う画像処理手段を備え、撮影された画像を実物大の大きさで表示手段に表示することを特徴とする請求項５または請求項６のいずれかに記載の放射線画像撮影表示装置。
【発明の詳細な説明】
【０００１】
【発明が属する技術分野】
本発明は、蓄積性蛍光体（輝尽性蛍光体プレート）等の放射線画像変換パネルを用いて撮影と表示とを行う放射線画像撮影表示方法および放射線画像撮影表示装置に関する。
【０００２】
【従来の技術】
ある種の蛍光体に放射線（Ｘ線、α線、β線、ｒ線、紫外線等）を照射すると、この放射線エネルギーの一部が蛍光体中に蓄積される。そして、この蛍光体に可視光等の励起光を照射すると、蓄積されたエネルギーに応じて蛍光体が輝尽発光を示すことが知られいる。このような性質を示す蛍光体は蓄積性蛍光体もしくは輝尽性蛍光体と呼ばれる。
【０００３】
この輝尽性蛍光体を利用して、人体等の放射線画像情報を一旦シート上に設けられた蓄積性蛍光体（輝尽性蛍光体プレート等の放射線画像変換パネル）に記録し、この放射線画像変換パネルをレーザ光等の励起光で走査して輝尽発光光を生ぜしめ、得られた輝尽発光光を光電的に読み出して画像信号を得ることが可能である。
【０００４】
なお、この放射線画像変換パネル以外には、放射線に感度を有するフィルムや、半導体ディテクタなどを用いることも可能である。
【０００５】
【発明が解決しようとする課題】
従来の一般的な放射線画像撮影装置では、Ｘ線管１の焦点と被写体Ｍの距離（図８のａ）が、被写体Ｍ〜放射線画像変換手段（放射線画像変換パネル２）までの距離（図８のｂ）に比べて無視できない距離にあるので、放射線画像変換パネル２に撮影された画像の大きさは実際の被写体Ｍよりも拡大されている。
【０００６】
このため、撮影された画像から被写体の任意の２点間の距離を測定する場合には、真の値が得られないという問題が生じる。
このような問題を解消するため、被写体近傍にスケールを配置し、スケールを写し込む撮影を行っている。
【０００７】
しかし、スケールを写し込む作業が面倒である。また、スケールと被写体とが重なっていると、そのスケールが読み取れなくなってしまう。さらに、実際に計測したい箇所とスケールとが一致しないため、正確な読み取りが行えないという問題もある。
【０００８】
本発明は上述した課題を解決するためになされたものであり、その目的は、簡易な操作で、撮影された任意の点間の距離を正確に測定することが可能な放射線画像撮影表示方法および放射線画像撮影表示装置を提供することにある。
【０００９】
【課題を解決するための手段】
従って、課題を解決する手段としての発明は、以下に説明するものである。
【００１２】
（１）請求項１記載の発明は、Ｘ線管と被写体との距離が変わるように移動可能なＸ線照射装置のＸ線管から被写体に放射線を照射して、放射線画像変換手段に撮影された画像を表示する放射線画像撮影表示方法であって、前記放射線画像変換手段による撮影位置近傍に間隔ｇのマーカを配置して前記被写体と共に写し込み、前記放射線画像変換手段に写し込まれた前記マーカの間隔ｈを参照してマーカ拡大倍率β＝ｈ／ｇを算出し、前記マーカ拡大倍率β、前記Ｘ線管から前記被写体までの距離ａ、および前記Ｘ線管から前記マーカを配置した位置までの距離ｃ（ただし、ｃ＞ａ）に基づいて被写体の撮影倍率α＝（ｃ／ａ）βを算出し、前記撮影倍率αを用いて、撮影された画像を表示する際に被写体の所定の位置間の距離を表示することを特徴とする放射線画像撮影表示方法である。
【００１３】
請求項６記載の発明は、Ｘ線管と被写体との距離が変わるように移動可能なＸ線照射装置のＸ線管から被写体に放射線を照射して、放射線画像変換手段に撮影し、該放射線画像変換手段に撮影された画像を読み取り手段で読み取り、読み取った画像を表示手段に表示する放射線画像撮影表示装置であって、前記放射線画像変換手段による撮影位置近傍であって、前記被写体と共に放射線画像変換手段に写し込むための間隔ｇで離間配置されたマーカと、前記放射線画像変換手段に写し込まれた前記マーカの間隔ｈを参照してマーカ拡大倍率β＝ｈ／ｇを算出し、前記マーカ拡大倍率β、前記Ｘ線管から前記被写体までの距離ａ、および前記Ｘ線管から前記マーカを配置した位置までの距離ｃ（ただし、ｃ＞ａ）を参照して前記被写体の撮影倍率α＝（ｃ／ａ）βを算出する演算手段と、前記撮影倍率αを用いて、撮影された画像を表示する際に前記被写体の所定の位置間の距離を表示させる表示制御手段と、を備えたことを特徴とする放射線画像撮影表示装置である。
【００１４】
これらの発明では、放射線源から被写体までの距離および被写体から放射線画像変換手段までの距離並びに放射線画像変換手段に写し込まれたマーカ間距離を参照して被写体の撮影倍率を算出し、この撮影倍率を用いて、撮影された画像を表示する際に被写体の所定の位置間の距離を表示することで、簡易な操作で、撮影された任意の点間の距離を正確に測定することが可能になる。
【００１７】
（２）請求項２記載の発明は、（１）の放射線画像撮影表示方法において、前記Ｘ線管から前記被写体までの距離ａを測定し、該測定結果を用いて前記撮影倍率αを算出することを特徴とする。
【００１８】
請求項７記載の発明は、（１）の放射線画像撮影表示装置において、前記Ｘ線管から前記被写体までの距離ａを測定する測距手段を備え、該測距手段での測定結果を用いて前記演算手段が前記撮影倍率αを算出することを特徴とする。
【００１９】
これらの発明では、放射線源から被写体までの可変距離および被写体から放射線画像変換手段までの距離並びに放射線画像変換手段に写し込まれたマーカ間距離を参照して被写体の撮影倍率を算出し、この撮影倍率を用いて、撮影された画像を表示する際に被写体の所定の位置間の距離を表示することで、放射線源の位置が可変であっても、簡易な操作で、撮影された任意の点間の距離を正確に測定することが可能になる。
【００２３】
（３）請求項３記載の発明は、（１）〜（２）の放射線画像撮影表示方法において、撮影画像の表示画面において対話的に複数の位置の指定を受付け、指定された位置間の距離を数値表示することを特徴とする。
【００２４】
請求項８記載の発明は、（１）〜（２）の放射線画像撮影表示装置において、前記表示手段での撮影画像の表示画面を用いて対話的に複数の位置の指定を受付ける操作手段を有し、前記表示制御手段は、前記操作手段で指定された位置間について求められた距離を数値表示させる、ことを特徴とする。
【００２５】
これらの発明では、指定された任意の位置間の距離を数値表示しているので、正確な距離表示が可能になる。
（４）請求項４記載の発明は、（１）〜（２）の放射線画像撮影表示方法において、撮影画像の表示画面において対話的に複数の位置の指定を受付け、指定された位置間を結ぶ直線と平行に、所定間隔の目盛を有するスケールを表示することを特徴とする。
【００２６】
請求項９記載の発明は、（１）〜（３）の放射線画像撮影表示装置において、前記表示手段での撮影画像の表示画面を用いて対話的に複数の位置の指定を受付ける操作手段を有し、前記表示制御手段は、前記操作手段で指定された位置間を結ぶ直線と平行に、所定間隔の目盛を有するスケールを表示させる、ことを特徴とする。
【００２７】
これらの発明では、指定された任意の位置間と平行するようにスケールを表示しているので、正確な距離の読み取りが可能になる。
（５）請求項５記載の発明は、（１）の放射線画像撮影表示方法において、前記撮影倍率αを用いて撮影倍率補正処理を行い、撮影された画像を実物大の大きさで表示することを特徴とする。
【００２８】
請求項１０記載の発明は、（１）〜（２）の放射線画像撮影表示装置において、前記撮影倍率αを用いて撮影倍率補正処理を行う画像処理手段を備え、撮影された画像を実物大の大きさで表示手段に表示することを特徴とする。
【００２９】
これらの発明では、画像そのものを実物大の大きさで画像表示しているので、その画像に対してユーザがスケールをあてるなどにより、正確な測定が可能になる。また、画像表示だけでなく、プリント出力にも有効である。
【００３０】
（９）なお、以上の各発明において、放射線画像変換手段とは、放射線画像変換パネルなどや放射線に感度を有するフィルムなどの各種画像変換手段が該当する。
【００３１】
【発明の実施の形態】
次に、本発明の実施の形態例について図面を参照しつつ説明する。
＜第１の実施の形態例＞
図１は本発明の各実施の形態例における放射線画像撮影表示装置、または、本発明の各実施の形態例の放射線画像撮影表示方法を実施する装置の一例を示す構成図である。
【００３２】
この図１において、制御部１０は装置各部の動作を制御する制御手段であり、操作部２０からの指示入力や内蔵された動作制御プログラム等に従って、撮影，読み取り，画像処理，画像保存などに関する各種制御を行うものである。
【００３３】
Ｘ線照射装置３０はＸ線管３１を備えており、前記制御部１０の制御に基づいて被写体Ｍに対してＸ線の照射を行う。
撮影・読取装置４０は撮影と読み取りとを行う装置であって、記録媒体としての放射線画像変換パネルＰを備えており、放射線画像変換パネルＰに撮影された画像をスキャナ部４１で読み取る。
【００３４】
なお、この実施の形態例では放射線画像変換手段として放射線画像変換パネルＰを用いる例で説明を行うが、放射線画像変換手段としてフィルムを使用する場合にはディジタイザで読み取りを行えば良い。また、この放射線画像変換パネルとしては、輝尽性蛍光体プレートのほかに、半導体ディテクタなども該当する。
【００３５】
画像処理部５０は各種画像処理を行うものであり、本実施の形態例では撮影倍率に基づいて撮影倍率補正処理を行う画像処理手段と、画像にスケール表示を重畳させる表示制御手段とを兼ねている。
【００３６】
画像記憶部６０は光ディスク装置や磁気ディスク装置などで構成された画像保存手段であり、制御部１０の指示により画像データの保存，格納を行うものである。
【００３７】
表示部７０は装置の各種状態表示や、読み取りにより得られた放射線画像や個々の画像が合成された状態等を画像表示する表示手段である。プリンタ８０は読み取られて画像処理部５０で画像処理された画像の画像形成（ハードコピー作成）を行う画像出力手段である。
【００３８】
ここで、図２を参照して本実施の形態例の動作説明を行う。図２は各部間の距離と撮影倍率の関係を模式的に示している。
まず、撮影によって放射線画像変換パネルＰに画像を蓄積し、この画像をスキャナ部４１で読み取って画像データを画像処理部５０内のフレームメモリ等に生成する。
【００３９】
ここで、Ｘ線管３１と被写体Ｍとの距離をａ、被写体Ｍと放射線画像変換パネルＰとの距離をｂとする。なお、ここで、ａとｂとは固定の値である。
この場合、被写体Ｍの実際の大きさがＨであったものが、Ｈ′として撮影される。この関係を以下の式で示すことができる。
【００４０】
ａ：ｂ＝（ａ＋ｂ）：Ｈ′
Ｈ′＝（（ａ＋ｂ）／ａ）Ｈ
すなわち、撮影倍率をαとすると、α＝（（ａ＋ｂ）／ａ）である。
【００４１】
そして、生成した画像データを表示部７０に表示した状態で、操作部２０から任意の２点の入力をメニュー画面などを介して対話的に受付ける。
受付けた２点間について、画像データ上の距離ｄの実測値に対して上記撮影倍率αの逆数を掛けて、被写体Ｍにおける正確な距離Ｄを求める。
【００４２】
すなわち、演算手段としての制御部１０が上述した式により撮影倍率αを求め、さらに、正確な距離Ｄを、Ｄ＝（ａ／（ａ＋ｂ））ｄとして求める。
そして、このように求めた距離Ｄについて、図３（ａ）のように、画像表示の邪魔にならない位置に数値表示する。これにより、オペレータは、指定した任意の位置間の距離を正確に知ることができる。
【００４３】
また、図３（ｂ）のように、指定された位置間を結ぶ直線と平行に、所定間隔の目盛を有するスケールを表示する。これにより、オペレータは、指定した任意の位置間の距離や、その間の間隔などを正確に知ることができる。なお、この場合には、上記撮影倍率αの逆数で補正した目盛を有するスケールを表示する。
【００４４】
なお、以上の場合に、スケール表示は、２点を結ぶ直線の平行した位置であって、なるべく画像表示の邪魔にならない側を判定して表示するとよい。また、数値表示とスケール表示とを併用してもよい。
【００４５】
さらに、予め上記撮影倍率αの逆数で補正した目盛を有するスケールを表示画面の隅に用意しておいて、操作部２０のポインティングデバイスによりスケールを自在に動かすことで、オペレータが任意の２点の距離を計るようにしてもよい。
【００４６】
また、画像処理部５０において上記撮影倍率αの逆数により画像データ自体を縮小し、実際の大きさの画像が表示あるいはプリントできるようにしてもよい。この場合、オリジナルの画像は別途保存しておいて、撮影倍率αの逆数を用いて表示用画像データあるいはプリント用画像データを生成する。このようにすることで、表示画面あるいはプリントを通常のスケールで計測することが可能になる。
【００４７】
ところで、一般的に、被写体Ｍと放射線画像変換パネルＰとの距離をｂは一定であるが、Ｘ線管３１と被写体Ｍとの距離をａについては変更したいといった要望もある。
【００４８】
そこで、図４に示すように、Ｘ線照射装置３０がレール等で移動可能な移動機構９１上に配置されているとする。このように移動可能なＸ線照射装置３０を用いた場合には、Ｘ線管３１から被写体Ｍまでの距離ａをオペレータが測定し、その値を操作部２０から入力する。そして、制御部１０が上述した式により撮影倍数を求めて補正演算の処理を行なうようにする。
【００４９】
なお、移動機構９１のレール等に距離もしくは位置に応じた磁気コードを付しておき、Ｘ線照射装置３０側に磁気読み取り手段を設けることで、Ｘ線管３１と被写体Ｍとの距離をａについて自動的に計測することができる。従って、Ｘ線照射装置３０を移動可能に構成した場合に、自動的に上述した補正演算がなされるようになる。
【００５０】
また、図５のように、Ｘ線照射装置３０内部でＸ線管３１近傍に測距部９２を設け、Ｘ線管３１と被写体Ｍとの距離をａについて自動的に計測することができる。従って、Ｘ線照射装置３０を移動可能に構成した場合に、自動的に上述した補正演算がなされるようになる。なお、この測距部９２は、赤外線，超音波などを用いた周知の測距手段を用いることができる。
【００５１】
なお、図５の測距部９２を用いて、被写体Ｍを配置しない状態で測距を行うことで、Ｘ線管３１から放射線画像変換パネルＰまでの距離（ａ＋ｂ）相当を測定することもできる。このようにすることでも、Ｘ線照射装置３０を移動可能に構成した場合に、自動的に上述した補正演算がなされるようになる。
【００５２】
また、上述したように、Ｘ線管３１から放射線画像変換パネルＰまでの距離（ａ＋ｂ）と、Ｘ線管３１と被写体Ｍとの距離をａとを求めることで、被写体Ｍと放射線画像変換パネルＰとの距離をｂを算出することができる。これにより、被写体Ｍの位置の違いによる撮影倍率αの変動も、補正することが可能になる。
【００５３】
また、図６に示すように、撮影・読取装置４０の所定位置に所定間隔のマーカｍを配置し、このマーカｍの拡大倍率をもって補正を行う実施の形態例を以下に説明する。
【００５４】
すなわち、図７（ａ）に示すように撮影位置近傍（撮影・読取装置４０の所定位置）に所定間隔のマーカｍを配置しておいて、被写体と共に放射線画像変換パネルＰに写し込む。
【００５５】
なお、この場合、撮影画像に邪魔にならない位置、すなわち、放射線画像変換パネルＰの端部に写るような位置にマーカｍを配置することが望ましい。また、マーカｍは、Ｘ線を通さないか、所定の透過率を有するものであって、画像データ上で判別可能なものである。
【００５６】
図７（ｂ）に示すように、このマーカｍの間隔をｇとすると、放射線画像変換パネルＰ上ではｈの間隔をもって撮影される。ここで、マーカ拡大倍率をβとすると、β＝ｈ／ｇである。
【００５７】
また、マーカｍを配置した位置がＸ線管３１からｃの距離であったとすると、上記のマーカ拡大倍率βは、β＝（ａ＋ｂ）／ｃと表せる。
また、撮影倍率αは、
α＝（（ａ＋ｂ）／ａ）
＝（ｃ／ａ）β
となる。
【００５８】
この場合、ｃは一定値または移動により定まる値であり、βも被写体Ｍに関係なく求まる値あるので、上述した測距手段によってＸ線管３１から被写体Ｍまでの距離を求めることで、被写体位置の差によって発生する撮影倍率の誤差を補正することが可能になる。
【００５９】
なお、以上の各実施の形態例において、撮影と読み取りとを並行して行う撮影・読取装置４０をもって説明を行ったが、これに限定されるものではなく、撮影と読み取りとを別個に行う装置やシステムであっても同様の動作を行うことが可能である。
【００６０】
【発明の効果】
以上詳細に説明したように、この明細書に記載の各発明によれば以下のような効果が得られる。
【００６１】
本発明では、放射線源から被写体までの距離および被写体から放射線画像変換手段までの距離を参照して被写体の撮影倍率を算出し、この撮影倍率を用いて、撮影された画像を表示する際に被写体の所定の位置間の距離を表示することで、簡易な操作で、撮影された任意の点間の距離を正確に測定することが可能になる。
【００６２】
また、本発明では、放射線源から被写体までの距離および被写体から放射線画像変換手段までの距離並びに放射線画像変換手段に写し込まれたマーカ間距離を参照して被写体の撮影倍率を算出し、この撮影倍率を用いて、撮影された画像を表示する際に被写体の所定の位置間の距離を表示することで、簡易な操作で、撮影された任意の点間の距離を正確に測定することが可能になる。
【００６３】
なお、以上の場合に、放射線源の位置を可変に構成した場合であっても、放射線源から被写体までの距離を測定し、該測定結果を用いて撮影倍率を算出することで、簡易な操作で、撮影された任意の点間の距離を正確に測定することが可能になる。
【００６４】
また、以上の場合に、放射線源から被写体までの距離を求め、被写体位置とマーカ位置との差によって発生する撮影倍率の誤差を補正することも、簡易な操作で、撮影された任意の点間の距離を正確に測定するのに有効である。
【００６５】
そして、本発明では、撮影画像の表示画面において対話的に複数の位置の指定を受付け、指定された位置間の距離を数値表示することにより、正確な距離表示が可能になる。
【００６６】
また、撮影画像の表示画面において対話的に複数の位置の指定を受付け、指定された位置間を結ぶ直線と平行に、所定間隔の目盛を有するスケールを表示することによっても、正確な距離の読み取りが可能になる。
【００６７】
さらにまた、撮影倍率を用いて撮影倍率補正処理を行い、撮影された画像を実物大の大きさで表示することにより、その画像に対してユーザがスケールをあてるなどにより、正確な測定が可能になる。また、画像表示だけでなく、プリント出力にも有効である。
【図面の簡単な説明】
【図１】本発明の実施の形態例で用いる放射線画像撮影表示装置の全体構成を示す構成図である。
【図２】本発明の実施の形態例において各部間の距離と撮影倍率の関係を模式的に示す説明図である。
【図３】本発明の実施の形態例による画面表示の例を示す説明図である。
【図４】本発明の実施の形態例で用いる放射線画像撮影表示装置の全体構成の他の例を示す構成図である。
【図５】本発明の実施の形態例で用いる放射線画像撮影表示装置の全体構成のさらに他の例を示す構成図である。
【図６】本発明の実施の形態例で用いる放射線画像撮影表示装置の全体構成のさらに別の例を示す構成図である。
【図７】本発明の実施の形態例で用いる放射線画像撮影表示装置におけるマーカと拡大倍率の様子を示す説明図である。
【図８】従来の放射線撮影で生じる拡大の様子を示す説明図である。
【符号の説明】
１０  制御部
２０  操作部
３０  Ｘ線照射装置
３１  Ｘ線管
４０  撮影・読取装置
４１  スキャナ
５０  画像処理部
６０  画像記憶部
７０  表示部
８０  プリンタ
【図１】
0004258855.tif 000002
【図２】
0004258855.tif 000003
【図３】
0004258855.tif 000004
【図４】
0004258855.tif 000005
【図５】
0004258855.tif 000006
【図６】
0004258855.tif 000007
【図７】
0004258855.tif 000008
【図８】
0004258855.tif 000009